(57)【特許請求の範囲】
【請求項１】
垂直状態に保持され角部(1a)を有する鉄骨部材(1)の垂直度を、切欠部(2A)を有し全体形状が長手Ｌ型をなし発光表示体(10)を有する本体(2)を前記角部(1a)に設けて前記発光表示体(10)により表示するようにした垂直度表示方法において、前記鉄骨部材(1)のＸ方向とＹ方向の傾斜角を２軸傾斜計(8)で計測し、前記傾斜角に基づく傾斜状態を、前記発光表示体(10)の互いに異なる面に設けられ各々Ｖ字型に配列された複数の発光素子(3a〜3n,4a〜4n)からなるＸ方向発光体(3)及びＹ方向発光体(4)で表示し、前記Ｘ方向発光体(3) 及びＹ方向発光体(4)で各々前記鉄骨部材(1)の右側傾斜及び左側傾斜を目視によって識別できるように表示することを特徴とする垂直度表示方法。
【請求項２】
垂直状態に保持され角部(1a)を有する鉄骨部材(1)の垂直度を、切欠部(2A)を有し全体形状が長手Ｌ型をなし発光表示体(10)を有する本体(2)を前記角部(1a)に設けて前記発光表示体(10)により表示するようにした垂直度表示装置において、前記本体(2)に設けられた２軸傾斜計(8)と、前記２軸傾斜計(8)からの傾斜角に基づいてＸ方向とＹ方向の傾斜状態を表示する発光表示体(10)と、前記発光表示体(10)の互いに異なる面に設けられ各々Ｖ字型に配列された複数の発光素子(3a〜3n,4a〜4n)からなるＸ方向発光体(3)及びＹ方向発光体(4)とを備え、前記Ｘ方向発光体(3) 及びＹ方向発光体(4)で各々前記鉄骨部材(1)の右側傾斜及び左側傾斜を表示する構成としたことを特徴とする垂直度表示装置。
【発明の詳細な説明】
【０００１】
【発明の属する技術分野】
本発明は、垂直度表示方法及び装置に関し、特に、鉄骨部材の傾斜状態を発光素子を用いて表示するための新規な改良に関する。
【０００２】
【従来の技術】
従来、用いられていたこの種の垂直度表示方法及び装置としては、一般に、水準器及びトランシットを用いて鉄骨部材等の傾きを測定していた。
【０００３】
【発明が解決しようとする課題】
従来の垂直度表示方法及び装置は、以上のように構成されていたため、次のような課題が存在していた。すなわち、水準器を用いた場合、表示管内の気泡位置を監視していなければならず、鉄骨部材の建入れ調整時に、複数の鉄骨部材に取付けた各々の水準器の監視のためにその都度水準器のところに行かなくてはならず、確認のための手間に多くの時間を要していた。また、前述のトランシットの場合には、作業者が常にレンズを介して目標物を見ていなければならず、長時間の作業となると、眼の疲れがひどく、作業が極めて困難であった。
【０００４】
本発明は、以上のような課題を解決するためになされたもので、特に、鉄骨部材の傾斜状態を発光素子を用いて表示するようにした垂直度表示方法及び装置を提供することを目的とする。
【０００５】
【課題を解決するための手段】
本発明による垂直度表示方法及び装置は、垂直状態に保持され角部を有する鉄骨部材の垂直度を、切欠部を有し全体形状が長手Ｌ型をなし発光表示体を有する本体(2)を前記角部に設けて前記発光表示体により表示するようにした垂直度表示方法において、前記鉄骨部材のＸ方向とＹ方向の傾斜角を２軸傾斜計で計測し、前記傾斜角に基づく傾斜状態を、前記発光表示体の互いに異なる面に設けられ各々Ｖ字型に配列された複数の発光素子からなるＸ方向発光体及びＹ方向発光体で表示し、前記Ｘ方向発光体及びＹ方向発光体で各々前記鉄骨部材の右側傾斜及び左側傾斜を目視によって識別できるように表示する方法である。
【０００６】
本発明による垂直度表示装置は、垂直状態に保持され角部を有する鉄骨部材の垂直度を、切欠部を有し全体形状が長手Ｌ型をなし発光表示体を有する本体を前記角部に設けて前記発光表示体により表示するようにした垂直度表示装置において、前記本体に設けられた２軸傾斜計と、前記２軸傾斜計からの傾斜角に基づいてＸ方向とＹ方向の傾斜状態を表示する発光表示体と、前記発光表示体の互いに異なる面に設けられ各々Ｖ字型に配列された複数の発光素子からなるＸ方向発光体及びＹ方向発光体とを備え、前記Ｘ方向発光体及びＹ方向発光体で各々前記鉄骨部材の右側傾斜及び左側傾斜を表示するようにした構成である。
【０００７】
【発明の実施の形態】
以下、図面と共に本発明による垂直度表示方法及び装置の好適な実施の形態について詳細に説明する。
図１において符号１で示されるものは、ベース１Ａ上に垂直状態で設けられた鉄骨部材であり、この鉄骨部材１の角部１ａには切欠部２Ａにより全体形状がほぼ長手Ｌ型をなす本体２がこの角部１ａに適合する状態で設けられ、この本体２にはマグネット(図示せず)を内蔵した着脱ユニット５が一対設けられている。この各着脱ユニット５はこの本体２の両端に回転自在に設けられた取手６によりこのマグネットが周知のように回転する構成で、この取手６の回転によってマグネットが鉄骨部材１側になるか又は反対側となり、本体２の鉄骨部材１への吸着又は非吸着が達成される。
【０００８】
前記本体２の表面側の互いに異なる面には、複数の発光素子３ａ〜３ｎからなるＸ方向発光体３と複数の発光素子４ａ〜４ｎからなるＹ方向発光体４とが設けられ、各発光体３，４によって発光表示体１０が構成され、Ｘ方向及びＹ方向の傾斜状態を各発光体３，４により表示できるように構成されている。なお、この場合、Ｘ方向とは、鉄骨部材１の一面の方向を示し、Ｙ方向はこのＸ方向とは直交する方向を示している。前記Ｘ方向発光体３及びＹ方向発光体４は、発光素子３ａ〜３ｎ、４ａ〜４ｎが各々ほぼＶ字型に配列され、各々右側傾斜及び左側傾斜を目視によって直ちに識別できるように構成されている。なお、この場合、発光素子３ａ，４ａのみが発光すると垂直状態、３ｂ〜３ｎ，４ｂ〜４ｎが発光した時には何れかに傾斜した状態を示している。
【０００９】
前記本体２内には、Ｘ方向及びＹ方向の傾斜角を計測する２軸傾斜計８が設けられ、この２軸傾斜計８からの２軸の傾斜角の信号８ａは傾斜計アンプ９を経て発光しきい値選択回路１２に入力され、この発光しきい値選択回路１２には前述のＸ方向発光体３及びＹ方向発光体４が各々接続されている。なお、前述の傾斜計アンプ９及び発光しきい値選択回路１２には、バッテリー７からのＤＣ電源がＤＣ／ＤＣコンバータ１１を介して各々供給されている。
【００１０】
次に動作について述べる。まず、本体２の切欠部２Ａを鉄骨部材２の角部１ａに当接させて取手６を矢印の方向に沿って回転させると、着脱ユニット５のマグネットが鉄骨部材１に当接することにより本体２が鉄骨部材１の角部１ａに磁力によって装着される。この状態で電源をオンとすると、２軸傾斜計８から出力される２軸の傾斜角の信号８ａは傾斜計アンプ９で増幅され、発光しきい値選択回路１２で選択的に振り分けられ、その信号８ａのレベルに応じてＸ方向とＹ方向の各発光体３と４の何れかの発光素子３ａ〜３ｎと４ａ〜４ｎが発光する。
前述の発光素子３ａ又は４ａのみが発光した場合には鉄骨部材１が垂直状態であることを示し、他の発光素子３ｂ〜３ｎと４ｂ〜４ｎが発光した場合には、Ｘ方向とＹ方向が左右何れかに傾斜をしている状態を示し、Ｘ方向及びＹ方向における傾斜状態を発光式に表示することができる。なお、右方向又は左方向として直列状に配置された各発光素子３ａ〜３ｎ及び４ａ〜４ｎの数は、Ｘ方向で５個、Ｙ方向で５個用いているが、この数を図示よりも多くしてより視認性を向上させることができるが、また、図示の発光素子３ａ〜３ｎ，４ａ〜４ｎを用いることなく、発光型の数字表示を用いることもできる。また、発光素子３ａ，４ａのみの発光色を他と変えることもできる。
【００１１】
【発明の効果】
本発明による垂直度表示方法及び装置は、以上のように構成されているため、次のような効果を得ることができる。
すなわち、Ｘ方向及びＹ方向の傾斜角に基づく傾斜状態を示す鉄骨部材の右側及び左側傾斜を表示するようにＶ型に傾斜した発光表示体が設けられているため、鉄骨部材の垂直度を１回で視認することができ、その後の手直しによって鉄骨部材の姿勢が完全な垂直状態となった場合に、各発光素子の所定位置の発光素子が発光して垂直状態の確認を容易かつ確実に視認することができる。
【図面の簡単な説明】
【図１】  本発明による垂直度表示方法及び装置を示す構成図である。
【図２】  図１の要部を示すブロック構成図である。
【符号の説明】
１    鉄骨部材
１ａ 角部
２    本体
２Ａ 切欠部
３ａ〜３ｎ，４ａ〜４ｎ    発光素子
７    バッテリー
８    ２軸傾斜計
１０    発光表示体
【図１】
0003692369.tif 000002
【図２】
0003692369.tif 000003